(57)【要約】      （修正有）【課題】衝突が発生した際に迅速な対応ができるラックポスト保護装置を提供する。【解決手段】ラックポスト保護装置１００は、ラックポストＰの幅の広さに対応する切開部１１１がパイプ型の胴体の長さ方向に沿って備えられるカバー１１０と、カバー１１０に形成された設置空間部１６１と、前記設置空間部１６１に設けられ、送受信モジュール３０１及び衝突感知センサー３０２を備えた通信モジュール３００とで、構成されている。【選択図】図２
2018070277.tif 000002
【特許請求の範囲】
【請求項１】
ラックポスト保護装置において、
ラックポストの幅の広さに対応する切開部がパイプ型の胴体の長さ方向に沿って備えられるカバーと、
前記カバーの内壁に一体に形成されている格子型の補強体と、
前記切開部の両端部に前記ラックポストの方に並べて突き出された延長プレートと、
前記ラックポストに設けられた前記カバーの外面を包みながら、前記ラックポスト保護装置とラックポストを脱着可能な方式に固定するベルクロ(登録商標)またはベルト形態の決着材と、
を含むことを特徴とするラックポスト保護装置。
【請求項２】
カバーの上面には設置空間部を成形するために穿孔された設置部と、前記設置部を通じて設置空間部に内設され、バッテリーにより作動することができ、送信モジュール及び衝突感知センサーで構成された通信モジュールと、
格納モジュール及び送受信モジュールで構成されたメインサーバーと、
前記メインサーバーから衝突の位置の転送を受ける管理者コンピューターと、で構成されており、
ラックポストに設けられた保護装置の衝突感知センサーが衝突を感知すれば、この衝突の位置を送信モジュールを通じてメインサーバーの送受信モジュールに伝達し、これを格納モジュールが格納した後、管理者コンピューターに転送することで、迅速な対応ができることを特徴とする、請求項１に記載のラックポスト保護装置。
【請求項３】
延長プレートに形成されている締結孔を更に含んでおり、
ボルトＢを用いてカバーをラックポストに固定させることを特徴とする、請求項１に記載のラックポスト保護装置。
【請求項４】
カバーに穿孔された貫通孔を更に含み、貫通孔を通じて紐形状の決着材が挿入されてラックポストに縛られることで、保護装置をラックポストに堅固に固定させることができることを特徴とする、請求項１に記載のラックポスト保護装置。
【発明の詳細な説明】
【技術分野】
【０００１】
本発明は、ラックポスト保護装置に関し、より詳しくは、脱着が容易であると共に、設置作業が簡便であり、外部に露出されたラックポストの前面及び両側面を同時に保護することができる構造のラックポスト保護装置に関する。
【背景技術】
【０００２】
一般的に、物流倉庫、倉庫型売場などで、ボックス、パレット単位の商品を効果的に陳列販売するか、または物流を保管するための用途にラック構造物（以下、単に「ラック」と称する。）が利用されている。
【０００３】
ラック（Ｒａｃｋ）は、垂直方向に設けられ、設定された間隔で離隔して配置されたラックポスト（Ｐｏｓｔ）と、ポストの間を水平方向に横切って設けられるロードビーム（Ｌｏａｄ  Ｂｅａｍ）と、ロードビームの間を交差する方向に設けられるタイビーム（Ｔｉｅ  Ｂｅａｍ）などの部材を含む。
【０００４】
そのうち、ラックポストの形状及び構造を図１に簡略に示した。通常のラックポストＰは、前面部Ｐ−１が前方に突き出され、両方の側面部Ｐ−２には内入された溝Ｐ−３が互いに対面する位置上に形成される。さらに、前面部Ｐ−１及び両方の側面部Ｐ−２を含むラックの３面が外部通路の方に露出される構造からなっていた。
【０００５】
これによって、物流を収納または引出する作業を行う場合、外部に露出されたラックポストＰの３面が直接的に衝突される恐れがあり、部材の損傷及び破損が引き起こされる問題が頻繁に発生していた。さらに、通路を通り過ぎる作業者がラックポストＰの突き出された角にぶつかる場合、身体に傷害が生じるような安全上の事故が発生される恐れがあった。
【０００６】
本発明に係わる先行技術として、大韓民国公開特許公報第２０１２−０１３７９７７号（公開日：２０１２年１２月２４日）があり、上記先行文献には、組み立て式の構造を有する物流倉庫用積載用ラック構造物に関する技術が開示されている。
【先行技術文献】
【特許文献】
【０００７】
【特許文献１】大韓民国公開特許公報第２０１２−０１３７９７７号
【発明の概要】
【発明が解決しようとする課題】
【０００８】
本発明は、脱着が容易であると共に、設置が簡便であり、外部に露出されたラックポストの前面及び両側面を同時に保護することができる構造のラックポスト保護装置を提供する。
【０００９】
また、本発明は、前記保護装置で衝突が感知された際、衝突の位置を管理者に転送することができるラックポスト保護装置を提供する。
【００１０】
本発明が解決しようとする課題は、以上で言及した課題に制限されず、ここで言及されていない他の課題は、以下の記載から当業者にとって明確に理解されるはずである。
【課題を解決するための手段】
【００１１】
本発明の一実試例に係るラックポスト保護装置は、ラックポストの幅の広さに対応する切開部がパイプ型の胴体の長さ方向に沿って備えられるカバーを含み、カバーの内壁に格子フレームの補強体が一体に形成されており、前記ラックポストに設けられた前記カバーの外面を包みながら、前記ラックポスト保護装置とラックポストを脱着可能な方式に固定する決着材を更に含む。
【００１２】
また、前記切開部が切開された幅は、前記ラックポストの幅の大きさと等しいか、またはこれより小さく形成され、前記切開部の両端部には前記ラックポストの方に並べて突き出された延長プレートが備えられ、前記延長プレートは前記ラックポストの両方の側面部に密着されて互いに締結され得る。
【００１３】
また、カバー上端にはバッテリーにより作動する衝突感知センサーが内設されており、衝突が感知されれば、無線ネットワークを通じて衝突の位置をメインサーバーに転送し、メインサーバーは管理者コンピューターに該当内容を転送し、管理者がこれを確認できるようにした。
【発明の効果】
【００１４】
本発明の一実試例によると、ラックポスト保護装置の脱着が容易であると共に、設置に所要される時間が短縮され、作業の便宜性が向上され得る。
【００１５】
また、ラックポスト保護装置の構造が簡単であり、合成樹脂材質からなっているため、成形性が良く、製造コストが節減され、製品競争力が向上され得る。
【００１６】
また、複数のラックポスト保護装置を層別に繋いで連結設置することができ、ラックポストの長さの変化に応じて適切に長さを調節することができる。
【００１７】
また、ラックポストの前面及び両側面のそれぞれに設けられる別途の保護装置を利用しなくても良く、簡単な設置作業を通じてラックポストの３面を同時に保護し得る。
【００１８】
また、内設された衝突感知センサーを用いて衝突を感知し、管理者に衝突の位置を転送できるようにすることで、保護装置の毀損の有無を迅速に把握することができるという利点がある。
【図面の簡単な説明】
【００１９】
【図１】ラックポストを簡略に示す斜視図。
【図２】本発明のラックポスト保護装置を詳細に示す斜視図。
【図３】本発明のラックポスト保護装置の実施図。
【図４】本発明のラックポスト保護装置の設置前の姿を示す断面図。
【図５】本発明のラックポスト保護装置の設置実施図。
【図６】本発明のラックポスト保護装置の設置実施図。
【図７】ラックポスト保護装置の無線通信実施図。
【図８】ラックポスト保護装置の実施例を示す実施図。
【発明を実施するための形態】
【００２０】
以下、添付された図面を参照しながら、本発明の実施例に係るラックポスト保護装置について詳述する。
【００２１】
ラック（Ｒａｃｋ）（またはラック構造物と称する。）は、物流倉庫、倉庫型売場などで、ボックス、パレット単位の商品を陳列販売するか、または保管するための用途に製作された設置構造物を意味する。
【００２２】
尚、ラックポスト（Ｒａｃｋ  Ｐｏｓｔ）は、ラックから垂直方向に設けられ、間隔を空いて並べて配置された支持部材を意味する。
【００２３】
本発明におけるラックポスト保護装置は、上記の構造で配置されたラックポストの損傷及び破損を防止すると共に、作業者がラックポストに衝突する場合に発生され得る安全事故を防止する目的に発明された装置に該当する。
【００２４】
図２は、本発明のラックポスト保護装置を示す斜視図であり、図３は、本発明のラックポスト保護装置の実施図である。
【００２５】
図面に示すように、本発明のラックポスト保護装置１００は、カバー１１０と、カバーの内壁に蜂の巣の形態の格子フレーム補強体１３０が一体に形成されている。
【００２６】
カバー１１０は、ラックポストの幅の広さに対応する切開部がパイプ型の胴体の長さ方向に沿って備えられる合成樹脂材質の部材である。
【００２７】
カバー１１０は、設定された長さを有し、パイプ型の胴体に提供され、このようなカバー１１０にはラックポストの幅の広さに対応する切開部１１１が設けられる。
【００２８】
カバー１１０上で切開された切開部１１１の幅は、前記ラックポストの幅の大きさと等しいか、またはこれより小さく形成され得る。ここで、切開部１１１は、カバー１１０がラックポストに設けられる際、ラックポストの前面部（図３のＰ−１）及び両方の側面部（図３のｐ−２）が密着される。
【００２９】
尚、カバー１１０は、合成樹脂材質、特に、プラスチック素材で製作され得るところ、具体的な例として、ポリカーボネートが利用され得る。
【００３０】
このような材質は、カバー１１０を通じて外部からの衝撃が加えられる場合、耐久性のための剛性が確保されると共に、前記カバー１１０の脱着時に、前記切開部１１１を通じた伸縮性が確保され、切開部の幅が広くなるか復元されて縮まられるようにする。カバーの外壁の形態は図面に示されている実施例に限定されず、剛性、伸縮性を確保するために多様な形態に補強または変形され得る。
【００３１】
ラックポスト保護装置１００は、切開部を１１１を用いてラックポストに設けられる。
【００３２】
また、カバーの上面には設置部１６０が穿孔され、設置空間部１６１が成形されており、これに通信モジュール３００が挿設される。前記通信モジュールは、バッテリー（未図示）により作動できる送信モジュール３０１及び衝突感知センサー３０２を含んでおり、図７に示すように、設置空間部に内設された通信モジュールは、衝突感知センサーを通じた衝突感知時に、送信モジュール３０１を用いてメインサーバー４００の送受信モジュールに該当衝突の位置を転送し、メインサーバーは、これを格納モジュールに格納した後、送受信モジュールを通じて管理者コンピューターに転送することで、管理者が衝突の位置を管理者コンピューター５００を通じて確認することで、迅速な対応ができるように製作された。前記通信モジュール、メインサーバー、及び管理者コンピューター５００の間の通信は、有無線ネットワークを通じて可能であり、位置の確認は既存のＧＰＳ、ＲＦＩＤタッグ、ワイパイなどの多様な通信プロトコル技術からの類推が自明なので、別途に説示しない。
【００３３】
以下、本発明のラックポスト保護装置の設置過程について、図３及び図５を参照しながら説明する。
【００３４】
図３及び図５は、本発明のラックポスト保護装置の設置前の姿を示す分解斜視図である。先ず、図３を参照すれば、説明の便宜上、全体のラック構造物の中、何れか一つのラックポストＰのみを示した。さらに、ラックポストＰに設けられる前のラックポスト保護装置１００を一側に配置して示した。
【００３５】
ラックポストＰは、一般的な場合のように、前面部Ｐ−１が前方に突き出され、両方の側面部Ｐ−２にはカバー１１０の切開部１１１と密着される溝Ｐ−３が備えられる。よって、ラックポスト保護装置１００を設置する前のラックポストＰの姿は、３面が外部に露出された姿を有するようになる。
【００３６】
合成樹脂材質のカバー１１０は伸縮性を有するので、その切開部１１１の幅が所定の範囲内で広くなるか縮まられ得る。よって、カバー１１０の切開部１１１の延長プレート２１３を広くしてラックポストＰに装着することができる。
【００３７】
図５は、ラックポストに紐形状の決着材１５０及び貫通孔１７０を用いて、保護装置を堅く固定装着させる実施図である。すなわち、カバーに貫通孔が穿孔されており、貫通孔を通じて紐形状の決着材が挿入されてラックポストに縛られることで、保護装置がラックポストに堅固に固定装着され得るようにしたものである。このような方式に従って、ラックポスト保護装置１００の設置時間が短縮され、設置作業が容易に行われ得る。
【００３８】
決着材１５０は、ベルクロタイプ（またはベルトタイプ）で脱着可能な紐（または帯）形状の部材であって、ラックポストＰに設けられたカバー１１０の外面を包みながら、ラックポストＰとラックポスト保護装置１００との間の連結状態を堅固に固定する。
【００３９】
ラックポスト保護装置１００をラックポストＰの長さの変化に対応して適切に長さを延長することができ、この場合、複数のラックポスト保護装置１００を多層に連結して設置し得る。
【００４０】
また、カバー１１０の切開部１１１の両端部には、ラックポストＰの方に並べて突き出された一対の延長プレート２１３が備えられ、この延長プレートの上端または下端には締結孔２１５が設けられており、ボルトＢを用いてカバーをラックポストに固定可能である。
【００４１】
前述したように、本発明の一実試例に係るラックポスト保護装置によると、脱着が容易であると共に、設置に所要される時間が短縮され、作業の便宜性が向上され得る。
【００４２】
さらに、ラックポスト保護装置の構造が簡単であり、合成樹脂または高弾性のスポンジ材質からなっているため、成形性が良く、製造コストが節減され、製品競争力を向上させることができる。
【００４３】
なお、複数のラックポスト保護装置を層別に繋いで連結設置することができるので、ラックポストの長さの変化に応じて適切に長さの調節を行うことができる。
【００４４】
さらに、ラックポストの前面及び両側面のそれぞれに設けられる別途の保護装置を利用しなくても良く、簡単な設置作業を通じてラックポストの３面を同時に保護することができる。
【００４５】
以上、本発明のラックポスト保護装置について具体的に述べた。
【００４６】
以上のように、本発明は、たとえ限定された実試例及び図面によって説明されているが、本発明は上記の実試例に限定されず、これは本発明が属する分野で通常の知識を持った者であれば、このような記載から多様な修正及び変形が可能である。
【００４７】
よって、本発明の思想は、下述する特許請求の範囲のみによって把握されるべきであり、その均等または等価的な変形は何れも本発明の範疇に属していると言える。
【符号の説明】
【００４８】
Ｐ    ラックポスト
Ｐ−１    ラックポストの前面部
Ｐ−２    ラックポストの側面部
Ｐ−３    ラックポストの溝
１００    ラックポスト保護装置
１１０    カバー
１１１    切開部
１３０    補強体
１５０    決着材
１６０    設置部
１６１    設置空間部
１７０    貫通口
２１３    延長プレート
２１５    締結孔
３００    通信モジュール
３０１    送受信モジュール
３０２    衝突感知センサー
４００    メインサーバー
５００    管理者モニター
【図１】
2018070277.tif 000003
【図２】
2018070277.tif 000004
【図３】
2018070277.tif 000005
【図４】
2018070277.tif 000006
【図５】
2018070277.tif 000007
【図６】
2018070277.tif 000008
【図７】
2018070277.tif 000009
【図８】
2018070277.tif 000010
【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
ラックポスト保護装置において、
ラックポストの幅の広さに対応する切開部がパイプ型の胴体の長さ方向に沿って備えられるカバーと、
前記カバーの内壁に一体に形成されている格子型の補強体と、
前記切開部の両端部に前記ラックポストの方に並べて突き出された延長プレートと、
前記ラックポストに設けられた前記カバーの外面を包みながら、前記ラックポスト保護装置とラックポストを脱着可能な方式に固定するベルクロ（登録商標）またはベルト形態の決着材と、
を含む構成において、
前記カバーの上面には設置空間部を成形するために穿孔された設置部と、
前記設置部を通じて設置空間部に内設され、バッテリーにより作動することができ、送信モジュール及び衝突感知センサーで構成された通信モジュールと、
格納モジュール及び送受信モジュールで構成されたメインサーバーと、
前記メインサーバーから衝突の位置の転送を受ける管理者コンピューターと、で構成されており、
ラックポストに設けられた保護装置の衝突感知センサーが衝突を感知すれば、この衝突の位置を送信モジュールを通じてメインサーバーの送受信モジュールに伝達し、これを格納モジュールが格納した後、管理者コンピューターに転送することで、迅速な対応ができる
ことを特徴とするラックポスト保護装置。
【請求項２】
延長プレートに形成されている締結孔を更に含んでおり、
ボルトＢを用いてカバーをラックポストに固定させることを特徴とする、請求項１に記載のラックポスト保護装置。
【請求項３】
カバーに穿孔された貫通孔を更に含み、貫通孔を通じて紐形状の決着材が挿入されてラックポストに縛られることで、保護装置をラックポストに堅固に固定させることができることを特徴とする、請求項１に記載のラックポスト保護装置。